【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
ワイヤレス通信システムにおいて動作する方法であって、前記システムは１つまたは複数のワイヤレス・タグを含み、前記方法は、
前記１つまたは複数のワイヤレス・タグのうちの１つのタグによって、ワイヤレス・アクセスポイントからの通信を受信することと、
前記タグによって、前記ワイヤレス通信システムに対して外部にある局にダイレクトに、前記タグに関するアドバタイズされる情報を備える省電力ポール（ＰＳ−Ｐｏｌｌ）を送信することと、ここで、前記通信はビーコンを備え、前記アドバタイズされる情報は、前記ビーコンに応答して送信される、
を備える方法。
【請求項２】
前記ビーコンは、前記ビーコン内の前記タグを識別する、請求項１に記載の方法。
【請求項３】
前記ＰＳ−Ｐｏｌｌに応答して、前記ワイヤレス・アクセスポイントから、アクノレッジ信号を受信することと、
前記アクノレッジ信号に応答して、アクティブ状態を維持することと、
前記アクティブ状態の間、前記局からのプローブ要求を受信することとをさらに備え、
前記アドバタイズされる情報を送信することは、前記プローブ要求に応答して、前記アドバタイズされる情報を送信することを備える、請求項１に記載の方法。
【請求項４】
前記ＰＳ−Ｐｏｌｌの前記送信に続いてアクティブ状態を維持することと、
前記アクティブ状態の間、前記局からプローブ要求を受信することとをさらに備え、
前記アドバタイズされる情報を送信することは、前記プローブ要求に応答して、前記アドバタイズされる情報を送信することを備える、請求項１に記載の方法。
【請求項５】
前記通信は、デリバリー・トラフィック・インジケーション・マップ（ＤＴＩＭ）ビーコンを備える、請求項１に記載の方法。
【請求項６】
前記ＤＴＩＭビーコンに応答してアクティブ状態を維持することと、
前記アクティブ状態の間、前記局から要求を受信することとをさらに備え、
前記アドバタイズされる情報を送信することは、前記要求に応答して、前記アドバタイズされる情報を送信することを備える、請求項５に記載の方法。
【請求項７】
前記通信は、前記ワイヤレス・アクセスポイントを用いてウェイクアップ・スケジュールを確立する、請求項１に記載の方法。
【請求項８】
前記ウェイクアップ・スケジュールから導出される時間において、前記局から要求を受信することをさらに備え、
前記アドバタイズされる情報を送信することは、前記要求に応答して、前記アドバタイズされる情報を送信することを備える、請求項７に記載の方法。
【請求項９】
前記通信は、ウェイクアップ時間を指定するウェイクアップ要求を備える、請求項１に記載の方法。
【請求項１０】
前記指定されたウェイクアップ時間においてアクティブ状態に切り換えることと、
前記アクティブ状態の間、前記局からの要求を受信することとをさらに備え、
前記アドバタイズされる情報を送信することは、前記要求に応答して、前記アドバタイズされる情報を送信することを備える、請求項９に記載の方法。
【請求項１１】
請求項１〜１０のいずれか一項に記載の方法を行うための命令を備えるコンピュータプログラム。
【請求項１２】
装置であって、
１つまたは複数のワイヤレス・タグのうちの１つのタグにおいて、ワイヤレス通信システム内のワイヤレス・アクセスポイントからの通信を受信する手段と、ここで、前記ワイヤレス通信システムは、前記１つまたは複数のワイヤレス・タグおよび前記ワイヤレス・アクセスポイントを備える、
前記ワイヤレス通信システムに対して外部にある局にダイレクトに、前記タグに関するアドバタイズされる情報を備える省電力ポール（ＰＳ−Ｐｏｌｌ）を、前記タグから送信する手段と、ここで、前記通信はビーコンを備え、前記アドバタイズされる情報は、前記ビーコンに応答して送信される、
を備える装置。
【請求項１３】
前記ビーコンは、前記ビーコン内の前記タグを識別する、請求項１２に記載の装置。
【請求項１４】
装置であって、
ワイヤレス通信システムに対して外部にある局からの通信を受信する手段と、ここで、前記ワイヤレス通信システムは、１つまたは複数のワイヤレス・タグおよびアクセスポイントを備える、
前記１つまたは複数のワイヤレス・タグのうちの少なくとも１つのワイヤレス・タグに関するアドバタイズされる情報を前記局に省電力ポール（ＰＳ−Ｐｏｌｌ）においてダイレクトに送信するように前記少なくとも１つのワイヤレス・タグをトリガするために、前記少なくとも１つのワイヤレス・タグに通信を送信する手段と、
を備える装置。
【請求項１５】
前記局からの前記通信は、前記少なくとも１つのワイヤレス・タグを識別し、
前記ビーコンは、前記局からの前記通信に応答して、前記ビーコン内の前記少なくとも１つのワイヤレス・タグを識別する、請求項１４に記載の装置。
【手続補正２】
【補正対象書類名】明細書
【補正対象項目名】０１２９
【補正方法】変更
【補正の内容】
【０１２９】
[0139]開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用され得る。このように、本開示は、本明細書で示された実施形態に限定されるものではなく、本明細書で開示された原理および新規な特徴と矛盾しない最も広い範囲に相当することが意図されている。
以下に、本願出願の当初の特許請求の範囲に記載された発明を付記する。
［Ｃ１］
ワイヤレス通信システムにおいて動作する方法であって、前記システムは１つまたは複数のワイヤレス・タグを含み、前記方法は、
前記１つまたは複数のワイヤレス・タグのうちの１つのタグによって、ワイヤレス・アクセスポイントからの通信を受信することと、
前記タグによって、前記ワイヤレス通信システムに対して外部にある局にダイレクトに、前記タグに関するアドバタイズされる情報を送信することと、
を備える方法。
［Ｃ２］
前記通信はビーコンを備え、前記アドバタイズされる情報は、前記ビーコンに応答して送信される、Ｃ１に記載の方法。
［Ｃ３］
前記ビーコンは、前記ビーコン内の前記タグを識別する、Ｃ２に記載の方法。
［Ｃ４］
前記ビーコンに応答して省電力ポール（ＰＳ−Ｐｏｌｌ）を送信することをさらに備える、Ｃ２に記載の方法。
［Ｃ５］
前記アドバタイズされる情報を送信することは、前記アドバタイズされる情報を前記ＰＳ−Ｐｏｌｌ内に含めることを備える、Ｃ４に記載の方法。
［Ｃ６］
前記ＰＳ−Ｐｏｌｌに応答して、前記ワイヤレス・アクセスポイントから、アクノレッジ信号を受信することと、
前記アクノレッジ信号に応答して、アクティブ状態を維持することと、
前記アクティブ状態の間、前記局からのプローブ要求を受信することとをさらに備え、
前記アドバタイズされる情報を送信することは、前記プローブ要求に応答して、前記アドバタイズされる情報を送信することを備える、Ｃ４に記載の方法。
［Ｃ７］
前記ＰＳ−Ｐｏｌｌの送信に続いてアクティブ状態を維持することと、
前記アクティブ状態の間、前記局からプローブ要求を受信することとをさらに備え、
前記アドバタイズされる情報を送信することは、前記プローブ要求に応答して、前記アドバタイズされる情報を送信することを備える、Ｃ４に記載の方法。
［Ｃ８］
前記通信は、デリバリー・トラフィック・インジケーション・マップ（ＤＴＩＭ）ビーコンを備える、Ｃ１に記載の方法。
［Ｃ９］
前記ＤＴＩＭビーコンに応答してアクティブ状態を維持することと、
前記アクティブ状態の間、前記局から要求を受信することとをさらに備え、
前記アドバタイズされる情報を送信することは、前記要求に応答して、前記アドバタイズされる情報を送信することを備える、Ｃ８に記載の方法。
［Ｃ１０］
前記通信は、前記ワイヤレス・アクセスポイントを用いてウェイクアップ・スケジュールを確立する、Ｃ１に記載の方法。
［Ｃ１１］
前記ウェイクアップ・スケジュールから導出される時間において、前記局から要求を受信することをさらに備え、
前記アドバタイズされる情報を送信することは、前記要求に応答して、前記アドバタイズされる情報を送信することを備える、Ｃ１０に記載の方法。
［Ｃ１２］
前記通信は、ウェイクアップ時間を指定するウェイクアップ要求を備える、Ｃ１に記載の方法。
［Ｃ１３］
前記指定されたウェイクアップ時間においてアクティブ状態に切り換えることと、
前記アクティブ状態の間、前記局からの要求を受信することとをさらに備え、
前記アドバタイズされる情報を送信することは、前記要求に応答して、前記アドバタイズされる情報を送信することを備える、Ｃ１２に記載の方法。
［Ｃ１４］
前記アドバタイズされる情報を送信することは、前記アドバタイズされる情報を、前記指定されたウェイクアップ時間において送信することを備える、Ｃ１２に記載の方法。
［Ｃ１５］
ワイヤレス・タグであって、
プロセッサと、
前記プロセッサと電子通信するメモリとを備え、前記メモリは命令を組み込んでおり、前記命令は、
ワイヤレス通信システムにおいてワイヤレス・アクセスポイントから通信を受信することと、ここで、前記ワイヤレス通信システムは、前記ワイヤレス・タグおよび前記ワイヤレス・アクセスポイントを備える、
前記ワイヤレス通信システムに対して外部にある局にダイレクトに、前記ワイヤレス・タグに関するアドバタイズされる情報を送信することと、
を行うように前記プロセッサによって実行可能である、ワイヤレス・タグ。
［Ｃ１６］
前記通信はビーコンを備え、前記アドバタイズされる情報は、前記ビーコンに応答して送信される、Ｃ１５に記載のデバイス。
［Ｃ１７］
前記ビーコンは、前記ビーコン内の前記ワイヤレス・タグを識別する、Ｃ１６に記載のデバイス。
［Ｃ１８］
前記命令は、前記ビーコンに応答して省電力ポール（ＰＳ−Ｐｏｌｌ）を送信するように前記プロセッサによって実行可能である、Ｃ１６に記載のデバイス。
［Ｃ１９］
前記アドバタイズされる情報を送信するように実行可能な命令は、前記アドバタイズされる情報を前記ＰＳ−Ｐｏｌｌ内に含めるように前記プロセッサによって実行可能な命令を備える、Ｃ１８に記載のデバイス。
［Ｃ２０］
装置であって、
１つまたは複数のワイヤレス・タグのうちの１つのタグにおいて、ワイヤレス通信システム内のワイヤレス・アクセスポイントからの通信を受信する手段と、ここで、前記ワイヤレス通信システムは、前記１つまたは複数のワイヤレス・タグおよび前記ワイヤレス・アクセスポイントを備える、
前記ワイヤレス通信システムに対して外部にある局にダイレクトに、前記タグに関するアドバタイズされる情報を、前記タグから送信する手段と、
を備える装置。
［Ｃ２１］
前記通信はビーコンを備え、前記アドバタイズされる情報は、前記ビーコンに応答して送信される、Ｃ２０に記載の装置。
［Ｃ２２］
前記ビーコンは、前記ビーコン内の前記タグを識別する、Ｃ２１に記載の装置。
［Ｃ２３］
前記ビーコンに応答して省電力ポール（ＰＳ−Ｐｏｌｌ）を送信する手段をさらに備える、Ｃ２１に記載の装置。
［Ｃ２４］
前記アドバタイズされる情報を送信する前記手段は、前記ＰＳ−Ｐｏｌｌに、前記アドバタイズされる情報を含める手段を備える、Ｃ２３に記載の装置。
［Ｃ２５］
アクセスポイントであって、
プロセッサと、
前記プロセッサと電子通信するメモリとを備え、前記メモリは命令を組み込んでおり、前記命令は、
ワイヤレス通信システムに対して外部にある局から通信を受信することと、ここで、前記ワイヤレス通信システムは、１つまたは複数のワイヤレス・タグおよび前記アクセスポイントを備える、
前記少なくとも１つのワイヤレス・タグに関するアドバタイズされる情報を前記局にダイレクトに送信するように前記少なくとも１つのワイヤレス・タグをトリガするために、前記１つまたは複数のワイヤレス・タグのうちの少なくとも１つのワイヤレス・タグに通信を送信することと、
を行うように前記プロセッサによって実行可能である、アクセスポイント。
［Ｃ２６］
前記少なくとも１つのワイヤレス・タグは、受信された要求に応答してのみ、前記アドバタイズされる情報を送信する、Ｃ２５に記載のアクセスポイント。
［Ｃ２７］
前記少なくとも１つのワイヤレス・タグへの通信は、ビーコンを備え、前記少なくとも１つのワイヤレス・タグは、前記ビーコンに応答して、前記アドバタイズされる情報を送信する、Ｃ２６に記載のアクセスポイント。
［Ｃ２８］
前記少なくとも１つのワイヤレス・タグからの前記アドバタイズされる情報は、前記少なくとも１つのワイヤレス・タグによって送信される省電力ポール（ＰＳ−Ｐｏｌｌ）に含められる、Ｃ２７に記載のアクセスポイント。
［Ｃ２９］
前記局からの通信は、前記少なくとも１つのワイヤレス・タグを識別し、
前記ビーコンは、前記局からの通信に応答して、前記ビーコン内の少なくとも１つのワイヤレス・タグを識別する、Ｃ２７に記載のアクセスポイント。
［Ｃ３０］
前記命令は、
前記少なくとも１つのワイヤレス・タグにビーコンを送信することと、
前記ビーコンを送信した後に、前記少なくとも１つのワイヤレス・タグから省電力Ｐｏｌｌ（ＰＳ−Ｐｏｌｌ）を受信することと、
前記ＰＳ−Ｐｏｌｌに応答してアクノレッジ信号を送信することと、ここで、前記局は、前記アクノレッジ信号に応答して前記少なくとも１つのワイヤレス・タグに要求を送信し、前記少なくとも１つのワイヤレス・タグは、前記要求に応答して、前記アドバタイズされる情報を送信する、
を行うように前記プロセッサによって実行可能である、Ｃ２６に記載のアクセスポイント。
［Ｃ３１］
装置であって、
ワイヤレス通信システムに対して外部にある局からの通信を受信する手段と、ここで、前記ワイヤレス通信システムは、１つまたは複数のワイヤレス・タグおよびアクセスポイントを備える、
少なくとも１つのワイヤレス・タグに関するアドバタイズされる情報を前記局にダイレクトに送信するように前記少なくとも１つのワイヤレス・タグをトリガするために、前記１つまたは複数のワイヤレス・タグのうちの少なくとも１つのワイヤレス・タグに通信を送信する手段と、
を備える装置。
［Ｃ３２］
前記少なくとも１つのワイヤレス・タグは、受信された要求に応答してのみ、前記アドバタイズされる情報を送信する、Ｃ３１に記載の装置。
［Ｃ３３］
前記少なくとも１つのワイヤレス・タグへの通信は、ビーコンを備え、前記少なくとも１つのワイヤレス・タグは、前記ビーコンに応答して、前記アドバタイズされる情報を送信する、Ｃ３２に記載の装置。
［Ｃ３４］
前記少なくとも１つのワイヤレス・タグからの前記アドバタイズされる情報は、前記少なくとも１つのワイヤレス・タグによって送信される省電力ポール（ＰＳ−Ｐｏｌｌ）内に含められる、Ｃ３３に記載の装置。
［Ｃ３５］
前記局からの前記通信は、前記少なくとも１つのワイヤレス・タグを識別し、
前記ビーコンは、前記局からの前記通信に応答して、前記ビーコン内の前記少なくとも１つのワイヤレス・タグを識別する、Ｃ３３に記載の装置。